(57)【特許請求の範囲】
【請求項１】
コンクリートを打設すべき型枠に挿入される先端を有するフレキシブルホースと、このフレキシブルホースの中間部を懸架してこれを巻上げるホース巻上装置とより成り、上記ホース巻上装置が弧状の枠と、上記弧状の枠を回動せしめる駆動装置と、上記枠の逆回転防止手段とよりなることを特徴とするコンクリート打設装置。
【請求項２】
上記フレキシブルホースにホース内開口の開閉弁を設けたことを特徴とする請求項１記載のコンクリート打設装置。
【請求項３】
上記ホース巻上装置を１つのコンクリート打設孔から他のコンクリート打設孔に移動せしめる移動手段を有することを特徴とする請求項１又は２記載のコンクリート打設装置。
【請求項４】
上記巻上装置の移動を阻止する阻止手段を更に設けたことを特徴とする請求項１、２または３記載のコンクリート打設装置。
【請求項５】
上記ホース巻上装置が、上記枠にフレキシブルホースを固定するための固定具を有することを特徴とする請求項１、２、３または４記載のコンクリート打設装置。
【請求項６】
上記ホース巻上装置が、上記枠と上記フレキシブルホースの移動をガイドするガイド手段を有することを特徴とする請求項１、２、３、４または５記載のコンクリート打設装置。
【請求項７】
コンクリートを打設すべきフレキシブルホースのコンクリート吐出口を、打設型枠の下部から所定の距離上方に離間して配置し、
上記コンクリート打設型枠下部に打設されたコンクリート面の上昇に応じて上記フレキシブルホースを回転自在な弧状の枠を有するホース巻上装置によって巻上げる
ことを特徴とするコンクリート打設方法。
【発明の詳細な説明】
【０００１】
【発明の属する技術分野】
本発明は、コンクリート打設方法及び装置に関するものである。
【０００２】
【従来の技術】
コンクリート打設型枠内にコンクリートを打設する場合には、送られてくるコンクリート中の気泡や周囲の空気が打設コンクリート内に巻き込まれるのを防ぐためコンクリートホース先端をコンクリート打設面より10cm程度離れた位置とする必要があり、従来はこの位置決めを人力で行なっていた。
【０００３】
【発明が解決しようとする課題】
然しながら、上記コンクリートホース先端の位置決めを既設構造物内の限られた空間で人力で行なうことは極めて困難であった。
【０００４】
本発明は上記の問題を解決するようにしたものである。
【０００５】
【課題を解決するための手段】
本発明のコンクリート打設装置は、コンクリートを打設すべき型枠に挿入される先端を有するフレキシブルホースと、このフレキシブルホースの中間部を懸架してこれを巻上げるホース巻上装置とより成り、上記ホース巻上装置が弧状の枠と、上記弧状の枠を回動せしめる駆動装置と、上記枠の逆回転防止手段とよりなることを特徴とする。
【０００７】
また、本発明のコンクリート打設装置のフレキシブルホースにホース内開口の開閉弁を設けたことを特徴とする。
【０００８】
また、本発明のコンクリート打設装置は、更に上記ホース巻上装置を１つのコンクリート打設孔から他のコンクリート打設孔に移動せしめる移動手段を有することを特徴とする。
【０００９】
また、本発明のコンクリート打設装置は、上記巻上装置の移動を阻止する阻止手段を更に設けたことを特徴とする。
【００１０】
また、本発明のコンクリート打設装置の上記ホース巻上装置は、上記枠にフレキシブルホース固定するための固定具を有することを特徴とする。
【００１１】
また、本発明のコンクリート打設装置の上記ホース巻上装置は、上記枠と上記フレキシブルホースの移動をガイドするガイド手段を有することを特徴とする。
【００１２】
また、本発明のコンクリート打設方法は、コンクリートを打設すべきフレキシブルホースのコンクリート吐出口を、打設型枠の下部から所定の距離上方に離間して配置し、上記コンクリート打設型枠下部に打設されたコンクリート面の上昇に応じて上記フレキシブルホースを回転自在な弧状の枠を有するホース巻上装置によって巻上げることを特徴とする。
【００１３】
【発明の実施の形態】
以下図面によって本発明の実施例を説明する。
【００１４】
図１及び図２において、１はコンクリート打設型枠、２はその下部、３はコンクリート打設型枠１の上面に形成したコンクリート打設孔、４は同じくコンクリート打設型枠１の上面四隅に設けた所定長さの透明の空気抜きパイプを示し、本発明においては上記コンクリート打設孔３にコンクリートをコンクリートディストリビュータ５を介して流すためのフレキシブルホース６を既設構造物７に設けたホース貫通口８を通して下方に導き、このフレキシブルホース６の中間部を図３及び図４に示すホース巻上装置１０の弧状固定枠９によって支持せしめ開放自在なバンド１４によってフレキシブルホース６の中間部を上記弧状固定枠９に固定せしめると共に、上記フレキシブルホース６の先端を上記コンクリート打設孔３を通して下降せしめ、打設すべきコンクリート打設型枠１の下部２から例えば10cm程度上方に位置せしめ、コンクリートを毎時例えば20m3の速度で打設し、打設コンクリート１１の面１２が上昇するにつれて上記ホース巻上装置１０をウインチ等による手動のまたはモータ等による自動の駆動手段１３によって回動して図５に示すように上記フレキシブルホース６を巻き上げ、コンクリート打設の後半においては打設速度を例えば毎時15m3とし、図６に示すようにフレキシブルホース６の先端は打設コンクリートの面１２に接したままにする。
【００１５】
なお、上記ホース巻上装置１０は、例えば図３及び図４に示すように台車１５と、この台車１５から上方に延びる支柱１６と、この支柱１６によって水平に且つ回動自在に支持した回転軸１７と、この回転軸１７と上記弧状固定枠９間を連結するリブ１８と、上記回転軸１７にその中心を固定した上記弧状固定枠９を回動せしめるためのプーリ１９と、このプーリ１９と上記駆動手段１３間を連結するベルト２０とにより構成する。
【００１６】
また、上記ベルト２０には、例えばフレキシブルホース６を手動で巻上げ中に上記弧状固定枠９が逆回転しフレキシブルホース６が落下することを防止したり、上記コンクリート打設の際のフレキシブルホース６の脈動により上記弧状固定枠９が逆回転することを防止するため、上記ベルト２０に逆回転防止装置２１を設ける。
【００１７】
また、上記弧状固定枠９の外周部は図３及び図４に示すように、断面Ｕ字状で、その弧状固定枠９のコンクリート打設型枠１側の一端はやや中心側に湾曲し、上記弧状固定枠９が上記打設型枠１側に回動した場合でも、上記弧状固定枠９の一端が上記駆動手段１３の台車１５に当らないように構成する。
【００１８】
なお、上記弧状固定枠９のコンクリート打設型枠１側の一端は他の部分と同じ曲率の円弧状であってもよい。
【００１９】
また、上記逆回転防止装置２１は駆動手段１３又はプーリ１９に設けてもよい。
【００２０】
図７及び図８は本発明のホース巻上装置１０の他の実施例を示し、この実施例においてはその先端に上記弧状固定枠９の下面及びフレキシブルホース６の下面に接して転動するローラ２２を有するフレキシブルホース６及び固定枠９の支え２３の基部を上記支柱１６及び台車１５に固定し、ホース巻上装置１０により上記ホース６を巻上る斜中では上記ローラ２２によって弧状固定枠９を支え、巻上げた後においては上記ホース６を支え得るようにする。なお、この実施例ではコンクリート打設型枠１側は、段落【００１８】に示したように他の部分と同じ曲率円弧状とすればローラ２２に突き当ることはない。
【００２１】
コンクリート打設は図９に示すようにフレキシブルホース６から打設されたコンクリート１１が上記空気抜きパイプ４内に入り込み、その立ち上がり高さが例えば30cmとなったとき、これを測定することによって検知し、所定の高さまでの打設を確認後コンクリートの流入を止めると共にフレキシブルホース６に取付けた開閉弁２４を閉じコンクリート打設を完了せしめる。
【００２２】
また、上記台車１５は車輪２５上に載置してホース巻上装置１０を左右方向に移動自在ならしめ、１つのコンクリート打設孔よりコンクリート打設した後、これを隣接するコンクリート打設孔に移動してジャッキ等の固定脚２６にて台車１５を固定しコンクリート打設を行ない得るようにする。
【００２３】
なお、上記空気抜きパイプ４は不透明であっても良く、この場合にはパイプ４の上部からコンクリート１１の高さを測るようにする。
【００２４】
【発明の効果】
本発明のコンクリート打設方法及び装置は上記のような構成であるから、作業員がコンクリートホースに触れることなくコンクリートホース先端を制御でき極めて安全であると共に、打設装置付近でのコンクリート打設ホースの開閉作業を行うことができ、隣接するコンクリート打設孔への移動が容易であり、既設構造物のホース貫通口の位置に影響されることなく、コンクリート打設作業を安全且つ精度良く実施できる等大きな利益がある。
【００２５】
また、固定脚２６によりコンクリート打設装置を固定することで安全な作業を行うことができる。
【図面の簡単な説明】
【図１】本発明によるコンクリート打設初期の説明図である。
【図２】本発明によるコンクリート打設初期の説明図である。
【図３】本発明におけるコンクリート巻上装置の一部の拡大図である。
【図４】図３に示すホース巻上装置の側面図である。
【図５】本発明によるコンクリート打設終期の説明図である。
【図６】本発明によるコンクリート打設終期の説明図である。
【図７】本発明の他の実施例におけるコンクリート巻上装置の説明図である。
【図８】図７に示すホース巻上装置の側面図である。
【図９】本発明によるコンクリート打設完了時の説明図である。
【符号の説明】
１  コンクリート打設型枠
２  コンクリート打設型枠下部
３  コンクリート打設孔
４  空気抜きパイプ
５  コンクリートディストリビュータ
６  フレキシブルホース
７  既設構造物
８  ホース貫通口
９  固定枠
１０  ホース巻上装置
１１  打設コンクリート
１２  コンクリートの面
１３  駆動手段
１４  バンド
１５  台車
１６  支柱
１７  回転軸
１８  リブ
１９  プーリ
２０  ベルト
２１  逆回転防止装置
２２  ローラ
２３  支え
２４  開閉弁
２５  車輪
２６  固定脚
【図１】
0003890552.tif 000002
【図２】
0003890552.tif 000003
【図３】
0003890552.tif 000004
【図４】
0003890552.tif 000005
【図５】
0003890552.tif 000006
【図６】
0003890552.tif 000007
【図７】
0003890552.tif 000008
【図８】
0003890552.tif 000009
【図９】
0003890552.tif 000010